(57)【要約】【課題】蓋体の開閉状態の誤検出を防止し得る洗濯機を提供することを目的とする。【解決手段】筐体１１と、筐体１１に設けられた被洗濯物投入用の開口１６と、開口１６を開閉自在に閉塞する蓋体１７と、蓋体１７を閉塞状態に施錠する施錠手段１８と、蓋体１７の開閉状態を検知する蓋体開閉検知手段１９と、蓋体開閉検知手段１９と施錠手段１８の出力に基づいて蓋体１７の開閉状態を判断する蓋体開閉判定手段２１と、洗濯工程を制御し、施錠手段１８を制御する制御手段２０とを備え、蓋体開閉判定手段２１は、施錠手段１８の作動状態において蓋体開閉検知手段１９の蓋体開放検知出力の入力時に、蓋体開閉検知手段１９の蓋体開放検知出力を取り消し、制御手段２０に蓋体閉信号を出力する。【選択図】図２
2015204863.tif 000002
【特許請求の範囲】
【請求項１】
筐体と、前記筐体に設けられた被洗濯物投入用の開口と、前記開口を開閉自在に閉塞する蓋体と、前記蓋体を閉塞状態に施錠する施錠手段と、前記蓋体の開閉状態を検知する蓋体開閉検知手段と、前記蓋体開閉検知手段と前記施錠手段の出力に基づいて蓋体の開閉状態を判断する蓋体開閉判定手段と、洗濯工程を制御し、前記施錠手段を制御する制御手段とを備え、前記蓋体開閉判定手段は、前記施錠手段の作動状態において前記蓋体開閉検知手段の蓋体開放検知出力の入力時に、前記蓋体開閉検知手段の前記蓋体開放検知出力を取り消し、前記制御手段に蓋体閉信号を出力することを特徴とする洗濯機。
【請求項２】
前記蓋体開閉検知手段による前記蓋体の開放信号及び閉塞信号があるまで待機する待機工程中に、前記施錠手段の作動を継続するチャイルドロック機能を設け、前記蓋体開閉検知手段は、前記チャイルドロック機能の設定時の待機工程において、前記蓋体開閉検知手段の前記蓋体開放検知出力を取り消し、前記制御手段に蓋体閉信号を出力することを特徴とする請求項１記載の洗濯機。
【請求項３】
警報を発生する報知手段を備え、前記蓋体開閉検知手段は、前記施錠手段の作動状態で、前記蓋体開閉検知手段からの蓋体開放信号受信時に、蓋体開放検知手段からの前記蓋体開放信号を取り消し、前記制御手段に蓋体閉信号を出力するとともに、前記警報手段を作動させる信号を出力することを特徴とする請求項１または２に記載の洗濯機。
【発明の詳細な説明】
【技術分野】
【０００１】
本発明は、蓋体の施錠手段と蓋体の開閉状態を検出する蓋体開閉判定手段を有する洗濯機に関するものである。
【背景技術】
【０００２】
図６は、特許文献１に記載された従来の洗濯機のブロック図である。
【０００３】
図６に示すように、洗濯槽内に衣類を投入するための蓋体を、洗濯運転中に施錠するための施錠手段１と、蓋体の開閉状態を検知する蓋体開閉検知手段２と、施錠手段２の施錠と解除を制御する制御手段３とを有している。
【先行技術文献】
【特許文献】
【０００４】
【特許文献１】特開平７−２２２８８９号公報
【発明の概要】
【発明が解決しようとする課題】
【０００５】
前記従来の構成では、洗濯槽の回転中に蓋体が開放されるのを防止するために、洗濯運転中は、蓋体は施錠手段１によって施錠された状態となっている。施錠手段１と蓋体開閉検知手段２とは、近接した位置に配設すべきものであるが、構成上、施錠手段１と蓋体開閉検知手段２が若干離間した位置に配設される場合がある。
【０００６】
施錠手段１と蓋体開閉検知手段２とが離間した位置関係に配設された構成において、蓋体の施錠手段１による施錠状態で、蓋体が開放できない状態であるにもかかわらず、使用者が誤って蓋体を開放しようと操作した際には、蓋体の蓋体開閉検知手段２近傍部分が浮き上がり、蓋体開閉検知手段２が蓋体の開放を誤検出する虞がある。
【０００７】
本発明は、前記従来の課題を解決するもので、蓋体の開閉状態の誤検出を防止し得る洗濯機を提供することを目的とする。
【課題を解決するための手段】
【０００８】
前記従来の課題を解決するために、本発明の洗濯機は、筐体と、前記筐体に設けられた被洗濯物投入用の開口と、前記開口を開閉自在に閉塞する蓋体と、前記蓋体を閉塞状態に施錠する施錠手段と、前記蓋体の開閉状態を検知する蓋体開閉検知手段と、前記蓋体開閉検知手段と前記施錠手段の出力に基づいて蓋体の開閉状態を判断する蓋体開閉判定手段と、洗濯工程を制御し、前記施錠手段を制御する制御手段とを備え、前記蓋体開閉判定手段は、前記施錠手段の作動状態において前記蓋体開閉検知手段の前記蓋体開放検知出力の入力時に、前記蓋体開閉検知手段の前記蓋体開放検知出力を取り消し、前記制御手段に蓋体閉信号を出力するものである。
【０００９】
これによって、施錠手段により施錠中の状態の蓋体を使用者が開けようとした場合、蓋体が開放していないにもかかわらず、蓋体が開いたと誤検知することがなく、蓋の開閉状態を正しく判定できる。
【発明の効果】
【００１０】
本発明の洗濯機は、蓋体の施錠手段の作動中に、蓋体開閉検知手段が蓋体の開放を検出しても、蓋体を閉状態と判断することができるため、蓋体の開閉の誤検知を防止できる。
【図面の簡単な説明】
【００１１】
【図１】本発明の実施の形態１における洗濯機のブロック図
【図２】本発明の実施の形態１における洗濯機の断面図
【図３】本発明の実施の形態２における洗濯機のフローチャート
【図４】本発明の実施の形態３における洗濯機のフローチャート
【図５】本発明の実施の形態４における洗濯機のブロック図
【図６】従来の洗濯機のブロック図
【発明を実施するための形態】
【００１２】
第１の発明は、筐体と、前記筐体に設けられた被洗濯物投入用の開口と、前記開口を開閉自在に閉塞する蓋体と、前記蓋体を閉塞状態に施錠する施錠手段と、前記蓋体の開閉状態を検知する蓋体開閉検知手段と、前記蓋体開閉検知手段と前記施錠手段の出力に基づいて蓋体の開閉状態を判断する蓋体開閉判定手段と、洗濯工程を制御し、前記施錠手段を制御する制御手段とを備え、前記蓋体開閉判定手段は、前記施錠手段の作動状態において前記蓋体開閉検知手段の前記蓋体開放検知出力の入力時に、前記蓋体開閉検知手段の前記蓋体開放検知出力を取り消し、前記制御手段に蓋体閉信号を出力するものであり、蓋体の施錠中に、蓋体の開放が検出されても、蓋体を閉状態と判断することができ、蓋体の開閉の誤検知を防止することができる。
【００１３】
第２の発明は、第１の発明において、前記蓋体開閉検知手段による前記蓋体の開放信号及び閉塞信号があるまで待機する待機工程中に、前記施錠手段の作動を継続するチャイルドロック機能を設け、前記蓋体開閉検知手段は、前記チャイルドロック機能の設定時の待機工程において、前記蓋体開閉検知手段の前記蓋体開放検知出力を取り消し、前記制御手段に蓋体閉信号を出力するものであり、待機工程中における蓋体の施錠中に、蓋体の開放が検出されても、蓋体を閉状態と判断することができ、蓋体の開閉の誤検知を防止することができる。
【００１４】
第３の発明は、第１または第２の発明において、警報を発生する報知手段を備え、前記蓋体開閉検知手段は、前記施錠手段の作動状態で、前記蓋体開閉検知手段からの前記蓋体開放信号受信時に、前記蓋体開放検知手段からの前記蓋体開放信号を取り消し、前記制御手段に蓋体閉信号を出力するとともに、前記警報手段を作動させる信号を出力するものであり、蓋体の施錠中に蓋体の開放が検出された場合には、警報手段により警報して、使用者に注意を促すことができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における洗濯機の断面図、図２は、本発明の第１の実施の形態における洗濯機のブロック回路図である。
【００１７】
図１において、本実施の形態の洗濯機は、筐体１１内に外槽１２を収納し、外槽１２内に内槽１３を回転自在に支持している。内槽１３内底部には、攪拌翼１４が配設され、内槽１３及び攪拌翼１４は、外槽１２下部に支持されるモータ１５により選択的に回転する。
【００１８】
筐体１１には、内槽１３内に被洗濯物を出し入れするための開口１６が形成され、開口１６を開閉自在に閉塞する蓋体１７が設けられている。筐体１１側には、蓋体１７の開放を阻止するための施錠手段１８と、蓋体１７の開放を検知する蓋体開閉検知手段１９が設
けられ、制御手段２０により、洗濯運転中の蓋体１７の開放を施錠手段１８により阻止している。蓋体開閉検知手段１９による蓋体１７開閉検知状態の出力と、施錠手段１８による蓋体１７の施錠状態の出力は、蓋体開閉判定手段２１に出力され、蓋体開閉判定手段２１による蓋体１７開閉状態の判断結果が制御手段２０に出力される。
【００１９】
蓋体開閉検知手段１９としては、蓋体１７に配置した磁石の磁力を検知する構成、蓋体１７の有無を赤外線により検知する構成等があるが、構成を限定するものではない。
【００２０】
以上のように構成された洗濯機について、以下その動作、作用を説明する。
【００２１】
蓋体１７を開放し、内槽１３内に被洗濯物を入れるとともに、洗剤を洗剤入れ（図示せず）に入れて、蓋体１７を閉塞し、スタートボタンを操作すると、制御手段２０は、施錠手段１８を作動させて蓋体１７を施錠し、洗濯運転中の不用意な蓋体１７の開放を阻止する。
【００２２】
施錠手段１８によって蓋体１７を施錠している状態で、蓋体１７を開放する操作が行われた場合、施錠手段１８及び蓋体開閉検知手段１９の配設位置、蓋体１７に加わる力の場所や方向等により、施錠された状態の蓋体１７の一部が浮き上がり、蓋体開閉検知手段１９が蓋体１７の開放を誤検出する虞がある。
【００２３】
本実施の形態では、蓋体開閉判定手段２１は、施錠手段１８から蓋体１７の閉塞状態を検出する蓋体閉信号を入力する状態では、蓋体開閉検知手段１９から蓋体開放検出信号が入力された時、蓋体開放検出信号を取り消し、制御手段２０に蓋体閉信号を出力する。従って、施錠手段１８による蓋体１７の施錠状態で、蓋体開閉検知手段１９が蓋体１７の開放を検出した場合でも、蓋体１７の開放状態の誤検出を防止できる。
【００２４】
（実施の形態２）
図３は、本発明の第２の実施の形態における洗濯機のフローチャートであり、外槽１２と内槽１３を洗浄するコースを洗濯した場合を示している。なお、第１の実施の形態と同一部品については、同一符号を付して説明を省略する。
【００２５】
図３において、スタートボタンが操作されると、制御手段２０は、外槽１２内に給水する第１給水工程（ステップＳ１）を行なう。第１給水工程（ステップＳ１）においては、制御手段２０は、施錠手段１８により蓋体１７を施錠し、外槽１２内に一定水位まで給水する。
【００２６】
外槽１２内の水位が一定水位に達すると、制御手段２０は、待機工程（ステップＳ２）を行なう。待機工程（ステップＳ２）においては、制御手段２０は、施錠手段１８による蓋体１７の施錠を解除し、使用者により蓋体１７が開放され、外槽１２及び内槽１３に付着した黒カビや汚れ等を落とすための洗剤を投入した後、蓋体１７が閉塞されるまで待機する。
【００２７】
待機工程（ステップＳ２）は、外槽１２内に水がない状態で漂白剤等の強いアルカリ性の洗剤が投入されると、外槽１２、内槽１３及び攪拌翼１４が傷んでしまう虞があるため、外槽１２内に一定水位まで給水し、外槽１２内に一定水位の水がある状態で、施錠手段１８により蓋体１７の施錠を解除して、使用者による洗剤の投入が行なわれるまで待機する工程である。
【００２８】
待機工程（ステップＳ２）において、制御手段２０は、蓋体１７が開放され、再び閉塞されるのを蓋体開閉検知手段１９が検知すると、第２給水工程（ステップＳ３）を行う。
第２給水工程（ステップＳ３）においては、蓋体１７を施錠手段１８により施錠し、外槽１２内に第１給水工程（ステップＳ１）における一定水位より高い所定水位まで給水する。
【００２９】
第２給水工程（ステップＳ３）において、外槽１２内の水位が所定水位に達すると、制御手段２０は、攪拌工程（ステップＳ４）を行なう。攪拌工程（ステップＳ４）においては、モータ１５を駆動し、内槽１３と攪拌翼１４を選択的に回転させ、外槽１２、内槽１３及び攪拌翼１４を洗浄する。
【００３０】
本実施の形態においては、待機工程（ステップＳ２）において、蓋体１７の施錠状態を維持して蓋体１７の不用意な開放を阻止するチャイルドロック機能を有している。チャイルドロック機能を設定した状態の待機工程（ステップＳ２）においては、チャイルドロック機能を解除すると、制御手段２０が施錠手段１８を解除し、蓋体１７の開放が可能となる。
【００３１】
待機工程（ステップＳ２）において、チャイルドロック機能による蓋体１７の施錠状態で、使用者が蓋体１７を開放しようとした場合、施錠手段１８及び蓋体開閉検知手段１９の配設位置、蓋体１７に加わる力の場所や方向等により、施錠された状態の蓋体１７の一部が浮き上がり、蓋体開閉検知手段１９が蓋体１７の開放を誤検出し、第２給水工程（ステップＳ３）に移行する虞がある。
【００３２】
本実施の形態では、蓋体開閉判定手段２１は、施錠手段１８から蓋体１７の閉塞状態を検出する蓋体閉信号を入力する状態では、蓋体開閉検知手段１９から蓋体開放検出信号が入力された時、蓋体開放検出信号を取り消し、制御手段２０に蓋体閉信号を出力する。従って、施錠手段１８による蓋体１７の施錠状態で、蓋体開閉検知手段１９が蓋体１７の開放を検出した場合でも、蓋体１７の開放状態の誤検出を防止できる。
【００３３】
（実施の形態３）
図４は、本発明の第３の実施の形態における洗濯機のフローチャートであり、洗濯物の偏り等による脱水不良時の処理を示している。なお、第１の実施形態と同一部品は同一符号を付して説明を省略する。
【００３４】
図４において、制御手段２０は、外槽１２から洗濯水を排水する排水工程（ステップＳ５）を行なう。排水工程（ステップＳ５）においては、施錠手段１８は、蓋体１７を施錠した状態である。
【００３５】
外槽１２内の洗濯水の排水が完了すると、制御手段２０は、脱水工程（ステップＳ６）を行ない、洗濯物を脱水する。脱水工程において、内槽１３内の洗濯物に偏りがあると、洗濯機の振動、騒音が大きくなるため、内槽１３を高速で回転させることが困難な状態となる。このような状態となった場合には、制御手段２０は、内槽１３の回転を停止し、待機工程（ステップＳ７）に移行する。
【００３６】
待機工程（ステップＳ７）においては、制御手段２０は、施錠手段１８による蓋体１７の施錠を解除し、警報により使用者に洗濯物の偏りの解消を促す。待機工程において、蓋体１７が開放され、再び閉塞されたことを蓋体開閉検知手段１９が検知すると、制御手段２０は、再度脱水工程（ステップＳ６）に移行する。
【００３７】
本実施の形態においては、待機工程（ステップＳ７）において、洗濯運転中における蓋体１７の施錠状態を維持して蓋体１７の不用意な開放を阻止するチャイルドロック機能を有している。チャイルドロック機能を設定した状態の待機工程（ステップＳ７）において
は、チャイルドロック機能を解除すると、制御手段２０が施錠手段１８を解除し、蓋体１７の開放が可能となる。
【００３８】
待機工程（ステップＳ７）において、チャイルドロック機能による蓋体１７の施錠状態で、蓋体１７を開放しようとした場合、施錠手段１８及び蓋体開閉検知手段１９の配設位置、蓋体１７に加わる力の場所や方向等により、施錠された状態の蓋体１７の一部が浮き上がり、蓋体開閉検知手段１９が蓋体１７の開放を誤検出し、洗濯物の偏りが解消されていないにもかかわらず、脱水工程（ステップＳ６）に移行する虞がある。
【００３９】
本実施の形態では、蓋体開閉判定手段２１は、施錠手段１８から蓋体１７の閉塞状態を検出する蓋体閉信号を入力する状態では、蓋体開閉検知手段１９から蓋体開放検出信号が入力された時、蓋体開放検出信号を取り消し、制御手段２０に蓋体閉信号を出力する。従って、施錠手段１８による蓋体１７の施錠状態で、蓋体開閉検知手段１９が蓋体１７の開放を検出した場合でも、蓋体１７の開放状態の誤検出を防止できる。
【００４０】
（実施の形態４）
図５は、本発明の第４の実施の形態における洗濯機のブロック図である。なお、第１の実施形態と同一部品は同一符号を付して説明を省略する。
【００４１】
本実施の形態は、洗濯運転中における蓋体１７の施錠状態を維持して蓋体１７の不用意な開放を阻止するチャイルドロック機能を有している。
【００４２】
制御手段２０は、チャイルドロック機能が設定されると、洗濯運転中は、施錠手段１８により蓋体１７を施錠状態に維持し、第２の実施形態における待機工程（ステップＳ２）、第３の実施形態における待機工程（ステップＳ７）と同様に施錠手段１８により蓋体１７を施錠状態に維持する。
【００４３】
チャイルドロック機能による蓋体１７の施錠状態において、蓋体１７を開放しようとした場合、施錠手段１８及び蓋体開閉検知手段１９の配設位置、蓋体１７に加わる力の場所や方向等により、施錠された状態の蓋体１７の一部が浮き上がり、蓋体開閉検知手段１９が蓋体１７の開放を誤検出する虞がある。
【００４４】
本実施の形態では、蓋体開閉判定手段２１は、施錠手段１８から蓋体１７の閉塞状態を検出する蓋体閉信号を入力する状態では、蓋体開閉検知手段１９から蓋体開放検出信号が入力された時、蓋体開放検出信号を取り消し、制御手段２０に蓋体閉信号を出力する。従って、施錠手段１８による蓋体１７の施錠状態で、蓋体開閉検知手段１９が蓋体１７の開放を検出した場合でも、蓋体１７の開放状態の誤検出を防止できる。
【００４５】
また、蓋体開閉判定手段２１は、制御手段２０に報知信号を出力し、制御手段２０は、報知信号の入力により報知手段２２を作動させてブザー音やメロディ等を発生させ、使用者にチャイルドロック機能により蓋体１７が閉塞状態であることを警告する。
【００４６】
なお、本実施の形態は、縦型洗濯機を用いて説明したが、ドラム式洗濯機に用いることもでき、縦型洗濯機に限定するものではない。
【産業上の利用可能性】
【００４７】
以上のように、本発明にかかる洗濯機は、施錠手段による蓋体の施錠状態で、蓋体開閉検知手段が蓋体の開放を検出した場合でも、蓋体の開放状態の誤検出を防止でき、ドラム式洗濯機等の用途にも適用できる。
【符号の説明】
【００４８】
１１  筐体
１６  開口
１７  蓋体
１８  施錠手段
１９  蓋体開閉検知手段
２０  制御手段
２１  蓋体開閉判定手段
２２  報知手段
【図１】
2015204863.tif 000003
【図２】
2015204863.tif 000004
【図３】
2015204863.tif 000005
【図４】
2015204863.tif 000006
【図５】
2015204863.tif 000007
【図６】
2015204863.tif 000008